(57)【要約】【課題】枚葉紙を処理する機械、特に印刷機の供給領域で枚葉紙を確実にかつ損傷なしにガイドし、枚葉紙長手方向サイズだけでなく枚葉紙横方向サイズに対しても調節可能である択一的な枚葉紙案内装置を提供する。【解決手段】枚葉紙案内エレメント２６が、コンスタントな長さを有していて、定置にならびにサクションヘッド１８の位置変化によって変位可能に配置されているようにした。【選択図】図２
0003154365.tif 000002
【実用新案登録請求の範囲】
【請求項１】
枚葉紙を処理する機械の供給領域に設けられた、枚葉紙のサイズ長さに対して調整可能なサクションヘッドを備えた枚葉紙案内装置であって、当該枚葉紙案内装置が、枚葉紙搬送レベルの上方に、フレキシブルな枚葉紙案内エレメントを有している形式のものにおいて、
枚葉紙案内エレメント（２６）が、コンスタントな長さを有していて、定置にならびにサクションヘッド（１８）の位置変化によって変位可能に配置されていることを特徴とする、枚葉紙案内装置。
【請求項２】
枚葉紙案内エレメント（２６）が、ガイドエレメント（３３，３４；４１，４２，４３）によって案内レベル（Ｅ）から変向可能に配置されている、請求項１記載の枚葉紙案内装置。
【請求項３】
枚葉紙案内エレメント（２６）が、第１の端部（２７）で第１の定置の桁（２８）に配置されている、請求項１または２記載の枚葉紙案内装置。
【請求項４】
枚葉紙案内エレメント（２６）が、第２の端部（２９）で第２の定置の桁（３１）に配置されている、請求項１から３までのいずれか１項記載の枚葉紙案内装置。
【請求項５】
枚葉紙案内エレメント（２６）が、軸方向に移動可能にかつ高さ調節可能に配置された保持部（３６）によって第２の桁（３１）に配置されている、請求項４記載の枚葉紙案内装置。
【請求項６】
枚葉紙案内エレメント（２６）が、所定のばね力で負荷されたテンションローラ（３２；４２）によって緊張させられている、請求項１から５までのいずれか１項記載の枚葉紙案内装置。
【請求項７】
枚葉紙を処理する機械が輪転印刷機である、請求項１から６までのいずれか１項記載の枚葉紙案内装置。
【考案の詳細な説明】
【技術分野】
【０００１】
本考案は、枚葉紙を処理する機械、特に印刷機の供給領域に設けられた、枚葉紙のサイズ長さに対して調整可能なサクションヘッドを備えた枚葉紙案内装置であって、当該枚葉紙案内装置が、枚葉紙搬送レベルの上方に、フレキシブルな枚葉紙案内エレメントを有している形式のものに関する。
【背景技術】
【０００２】
枚葉紙を処理する機械に枚葉紙を供給する場合、持上げ用サッカおよび／または前進用サッカを有する吸着搬送装置を使用することが一般的である。パイルからの一番上側の枚葉紙の分離は、持上げ用サッカが枚葉紙を下側の位置で吸着し、その後、持上げ用サッカが持ち上げられることによって行われる。枚葉紙が、持ち上げられた位置に位置している間、分離送風器によってパイル後縁から吹出し空気が枚葉紙の下方にガイドされ、これによって、パイルからの枚葉紙の分離と、枚葉紙の持上げとがアシストされるのに対して、空気圧を得るためには、側方のばらし送風器が連続的に空気をパイル側縁に向かって枚葉紙の先行区分に吹き出す。持上げ用サッカがその最も高い位置に到達した場合には、水平に往復移動する搬送用サッカ（前進用サッカ）が枚葉紙を吸着しかつ持上げ用サッカへの吸着空気が停止されることによって、搬送用サッカが枚葉紙を持上げ用サッカから受け取る。次いで、搬送用サッカが枚葉紙を水平運動によって、枚葉紙を処理する機械の方向に搬送し、これによって、枚葉紙の先行区分が引渡し位置で、枚葉紙を処理する後置された機械の枚葉紙搬送装置、たとえば給紙ボードにわたってガイドされた搬送ベルトに到達する。枚葉紙を処理する機械の枚葉紙搬送装置による受取りは、タイミングローラの、タイミング制御された下降によって行われる。これによって、枚葉紙が、循環する搬送ベルトに向かって押圧される。タイミングローラの下降と同時に、搬送用サッカへの吸着空気供給が遮断され、この搬送用サッカが、枚葉紙搬送方向で見て後方の位置にもたらされる。枚葉紙が搬送路で後方のばらし送風器によって前進することによって、徐々に空気が枚葉紙の上側に到達する。このことは、枚葉紙のばたつき運動に繋がる。これによって、枚葉紙を処理する機械への、設定された搬送路での、持ち上げられた枚葉紙、特に先行枚葉紙領域の安定した確実な搬送ひいては引渡し箇所への枚葉紙の、枚葉紙を処理する機械の機械サイクルに調和された到着が危険にさらされている。この問題を解決するために、枚葉紙案内装置が枚葉紙搬送路の上方に使用される。
【０００３】
このような枚葉紙案内装置は、ドイツ連邦共和国特許出願公開第１７８６２３２号明細書に基づき公知である。枚葉紙供給装置の供給領域では、枚葉紙がその上面で、枚葉紙パイルの上方の枚葉紙搬送路において、水平に配置された望遠鏡状に伸長可能な複数の枚葉紙案内ロッドによってガイドされる。この伸縮ロッドは、枚葉紙搬送方向で見てサクションヘッドの後方で枚葉紙搬送方向に対して横方向に配置された、サクションヘッドに結合された、枚葉紙パイルの上方の桁から、印刷機の給紙ボードへの引渡し箇所にまで水平に１つのレベルで延びている。枚葉紙搬送方向へのもしくは枚葉紙搬送方向と逆方向へのサクションヘッドの、サイズに関連した調節時には、上述した枚葉紙案内ロッドが押し合わされる。この枚葉紙案内ロッドの管状の区分によって、段状に延びる区分が形成される。案内エレメントは主として形状安定性である。主要な欠点は、枚葉紙案内エレメントの機能確実性を得るために、この枚葉紙案内エレメントが保守されなければならないことにある。なぜならば、伸縮ロッドが汚物および破片によって、増加する摩耗にさらされているからである。
【０００４】
ドイツ連邦共和国特許第１９５３７２８４号明細書によって、弾性的なもしくは伸長可能な案内ベルトを使用することが公知である。この案内ベルトは、サクションヘッドの移動ストロークに相応して長さ伸長を受けるかもしくは設けられた巻取りエレメントによって繰り出される。
【先行技術文献】
【特許文献】
【０００５】
【特許文献１】ドイツ連邦共和国特許出願公開第１７８６２３２号明細書
【特許文献２】ドイツ連邦共和国特許第１９５３７２８４号明細書
【考案の概要】
【考案が解決しようとする課題】
【０００６】
本考案の課題は、枚葉紙を処理する機械、特に印刷機の供給領域で枚葉紙を確実にかつ損傷なしにガイドし、枚葉紙長手方向サイズだけでなく枚葉紙横方向サイズに対しても調節可能である択一的な枚葉紙案内装置を提供することである。
【課題を解決するための手段】
【０００７】
この課題を解決するために本考案の構成では、枚葉紙案内エレメントが、コンスタントな長さを有していて、定置にならびにサクションヘッドの位置変化によって変位可能に配置されているようにした。
【考案の効果】
【０００８】
本考案の利点は、枚葉紙案内エレメントを枚葉紙長手方向だけでなく枚葉紙横方向でもサイズに対して調節することができ、これによって、装置、たとえば側方のパイルストッパまたは側方のさばき送風器による側方のサイズ調節が枚葉紙案内装置によって妨害されず、にもかかわらず、枚葉紙ガイドが全枚葉紙幅にわたって行われることにある。
【０００９】
本考案の別の利点は、段なしの案内装置が僅かな摩擦で提供されることにある。
【００１０】
さらに、本考案による枚葉紙案内エレメントは、極端に低保守性であるという利点を提供する。なぜならば、鈍角の変向角のため、ベルト材料に対して強いロープ材料を使用することができるからである。このロープ材料は相応に低摩耗である。ペーパ長手方向での最大サイズから最小サイズへのサイズ差は案内コードで補償される必要はない。なぜならば、この案内コードがサクションヘッドに固定点を有しておらず、単に変向させられるからである。
【図面の簡単な説明】
【００１１】
【図１】枚葉紙輪転印刷機の概略的な断面図である。
【図２】枚葉紙パイルの上方に設けられた枚葉紙案内システムを備えた印刷機の給紙装置の概略的な断面図である。
【図３】上方に配置された枚葉紙案内エレメントを備えた枚葉紙パイルの平面図である。
【図４】枚葉紙案内エレメントをガイドするための択一的な構成を示す図である。
【考案を実施するための形態】
【００１２】
以下に、本考案を実施するための最良の形態を図面につき詳しく説明する。
【００１３】
枚葉紙７を処理する機械、たとえば印刷機１は、給紙装置２と、少なくとも１つの印刷装置３；４と、排紙装置６とを有している。枚葉紙７は枚葉紙パイル８から取り出され、個別化されてまたはずれ重なった状態で供給ボード９を介して枚葉紙供給装置に供給される。この枚葉紙供給装置は、枚葉紙７を加速させて印刷装置３，４に引き渡す。この印刷装置３，４は、公知の形式でそれぞれ１つの版胴１１，１２を有している。この版胴１１，１２は、フレキシブルな印刷版を固定するためのそれぞれ１つの装置１３，１４を有している。さらに、各版胴１１；１２には、半自動的なまたは全自動的な印刷版交換のための装置１６，１７が対応配置されている。
【００１４】
枚葉紙パイル８は、制御されて持上り可能なパイルプレート１０に載置している。枚葉紙７の取出しは枚葉紙パイル８の上側から、いわゆる「サクションヘッド１８」によって行われる。このサクションヘッド１８は、特に枚葉紙７の個別化のための幾つかの持上げ用サッカ１９と前進用サッカ２１とを有している。さらに、上側の枚葉紙層をさばくための吹出し装置２２と、パイル追従案内のための接触エレメント２３とが設けられている。枚葉紙パイル８、特に枚葉紙パイル８の上側の枚葉紙７の位置決めのためには、側方のかつ後方の幾つかのストッパ２４が設けられている。
【００１５】
サクションヘッド１８は枚葉紙パイル８の上方の後方の領域に配置されていて、サイズ適合のために、枚葉紙搬送方向にもしくは枚葉紙搬送方向と逆方向に移動可能に支承されている。サクションヘッド１８と枚葉紙パイル上面との間の共通の高さレベルには、たとえばロープ、コード、ベルト等の形の幾つかのフレキシブルな枚葉紙案内エレメント２６が設けられている。これらの枚葉紙案内エレメント２６によって、吹出し装置２２により吹出し空気で負荷された枚葉紙が上向きに、設定された搬送区間から逸脱し得ないようになっている。枚葉紙案内エレメント２６はその第１の端部２７で第１の横桁２８に固定されていて、第２の端部２９で第２の横桁３１に固定されている。第１の横桁２８は、枚葉紙搬送方向で見て枚葉紙パイル８の前方に配置されている。第２の横桁３１は枚葉紙パイル８に後置されている。
【００１６】
後方の横桁２８に配置された、ばね負荷されたそれぞれ１つのテンションローラ３２は、それぞれ１つの枚葉紙案内エレメント２６によって部分的に巻き掛けられる。枚葉紙案内エレメント２６あたり２つの変向ローラ３３，３４がレバー３５，４０に取り付けられていて、下方に向けられてサクションヘッド１８に配置されており、これによって、枚葉紙案内エレメント２６が下方でかつ側方でサクションヘッド１８を巡って案内されるようになっている。各枚葉紙案内エレメント２６の第２の端部２９は、高さ調節可能なかつ軸方向に移動可能な保持部３６によって第２の横桁３１に配置されている。保持部３６と変向ローラ３３，３４とはその高さにおいて、有利には、枚葉紙案内エレメント２６が枚葉紙パイル８の上面もしくは搬送レベルに対してほぼ平行な共通の案内レベルＥにほぼ位置するように配置されている。
【００１７】
小さなサイズ長さの処理時に、サクションヘッド１８が枚葉紙搬送方向、すなわち、第２の横桁３１の方向に移動させられる場合には、コンスタントに長い枚葉紙案内エレメント２６の幾何学的なより小さな構造長さが必要となる。しかし、枚葉紙案内エレメント２６をコンスタントに緊張させて保持することができるように、テンションローラ３２によって、枚葉紙案内エレメント２６の小さな変位が生ぜしめられる。
【００１８】
図４に示した第２の構成では、第１の変向ローラ３３が、ｓ字形に巻き掛けられた２つの変向ローラ４１，４２の組合せによって置き換えられることが提案されている。この場合、一方の変向ローラ４２は、ばね負荷されたレバー４３に配置されているのに対して、他方の変向ローラ４１は定置にサクションヘッド１８に配置されている。枚葉紙案内エレメント２６のこのガイドによって、サクションヘッド１８の移動ストロークが補償される必要はない。
【００１９】
サクションヘッド１８は枚葉紙パイル８の上方の後方の領域に配置されていて、サイズ合わせのために、枚葉紙搬送方向にもしくは枚葉紙搬送方向と逆方向に移動可能に支承されている。サクションヘッド１８と枚葉紙パイル上面との間の高さレベルには、たとえばロープ、コード、ベルト等の形の幾つかのフレキシブルな枚葉紙案内エレメント２６が設けられている。これらの枚葉紙案内エレメント２６によって、吹出し装置により負荷された枚葉紙７が上向きに、設定された搬送区間から逸脱し得ないようになっている。枚葉紙案内エレメント２６はその第１の端部２７で第１の横桁２８に固定されていて、第２の端部２９で第２の横桁３１に固定されている。第１の横桁２８は、枚葉紙搬送方向で見て枚葉紙パイル８の前方に配置されている。第２の横桁３１は枚葉紙パイル８に後置されている。
【符号の説明】
【００２０】
１  印刷機、  ２  給紙装置、  ３，４  印刷装置、  ６  排紙装置、  ７  枚葉紙、  ８  枚葉紙パイル、  ９  供給ボード、  １０  パイルプレート、  １１，１２  版胴、  １３，１４  装置、  １６，１７  装置、  １８  サクションヘッド、  １９  持上げ用サッカ、  ２１  前進用サッカ、  ２２  吹出し装置、  ２３  接触エレメント、  ２４  ストッパ、  ２６  枚葉紙案内エレメント、  ２７  端部、  ２８  横桁、  ２９  端部、  ３１  横桁、  ３２  テンションローラ、  ３３，３４  変向ローラ、  ３５  レバー、  ３６  保持部、  ４０  レバー、  ４１，４２  変向ローラ、  ４３  レバー、  Ｅ  案内レベル
【図１】
0003154365.tif 000003
【図２】
0003154365.tif 000004
【図３】
0003154365.tif 000005
【図４】
0003154365.tif 000006